(57)【要約】【課題】照明器具本体の取付け方向に対して直角（横）方向に配光することのできる照明器具を提供すること。【解決手段】本発明の照明器具は投光用の開口部を有した照明器具本体と、前記照明器具本体の開口部近傍に配置された発光体と、前記発光体からの光を開口部から外部に向かって反射する反射板と、前記照明器具本体の開口部を投光可能に覆う透光性のカバー部材とを備え、前記反射板は、幅方向の中央で照明器具本体の長手方向に沿った山状部と、前記山状部の両端に延設された平坦部と、前記平坦部から立ち上がった端縁折曲部とから成ると共に、前記反射板の端縁折曲部の一部に発光体を設置したので、照明器具本体の取付け方向に対して直角（横）方向に配光することができ光を必要とする道路の長手方向に沿って投光し、光を必要としない天空方向への光を制限することができる。【選択図】図４
2009026481.tif 000002
【特許請求の範囲】
【請求項１】
投光用の開口部を有した照明器具本体と、
前記照明器具本体の開口部近傍に配置された発光体と、
前記発光体からの光を山形形状の反射板による一次反射により開口部から外部に照射する反射板と、
前記照明器具本体の開口部を投光可能に覆う透光性のカバー部材とを備え、
前記反射板は、幅方向の中央で照明器具本体の長手方向に沿った山状部と、前記山状部の両端に延設された平坦部と、前記平坦部から立ち上がった端縁折曲部とから成ると共に、前記反射板の端縁折曲部の一部に発光体を設置したことを特徴とする照明器具。
【請求項２】
前記反射板は、幅方向の両端近傍で前記端縁折曲部の一部に発光体設置用の切欠き部が照明器具本体の長手方向に沿って複数個形成されたことを特徴とする請求項１に記載の照明器具。
【請求項３】
前記照明器具本体の開口部から投光される光は、少なくとも発光体から直接カバー部材を透過して投光される第１の光と、前記反射板で一旦反射した後に、カバー部材を透過して投光される第２の光と、前記カバー部材で一旦反射した後に、反射板で再度反射しカバー部材を透過して投光される第３の光とを含むことを特徴とする請求項１または２に記載の照明器具。
【請求項４】
前記発光体は、ＬＥＤであることを特徴とする請求項１〜３の何れか１に記載の照明器具。
【請求項５】
前記照明器具本体は、前記反射板の裏面に放熱板を配設すると共に、発光体を設置する凹部空間に対応する外周表面にヒダ形状部を形成し、放熱面積を増加して放熱効果を高めたことを特徴とする請求項１〜４の何れか１に記載の照明器具。
【請求項６】
前記発光体であるＬＥＤは、前記反射板を構成する端縁折曲部の一部に、端縁折曲部表面に対して直角方向に向けて設置され、照明器具本体の薄型化を図ったことを特徴とする請求項４に記載の照明器具。
【請求項７】
前記発光体は、前記反射板の両側端に設置されると共に、それぞれ反射板の中央方向に向けて配設したので、前記投光用の開口部から照射された光が天空方向へ投光されることを阻止したことを特徴とする請求項１〜６の何れか１に記載の照明器具。
【発明の詳細な説明】
【技術分野】
【０００１】
本発明は、一般道路や住宅地の歩行者用街路の高所に配置する照明器具に関し、特にその配光方向を改良した照明器具に関するものである。
【背景技術】
【０００２】
従来の一般道路や住宅地等の歩行者用街路に設置する照明器具は、道路端部に立設された電柱や専用のポールから、略長方形の照明器具本体を道路方向に突出して取り付けられていた。また、照明器具は、設置場所の状況に合わせて、取付け金具を調整したり、取付けパイプの長さ又はアーム角度が設定されていた。
図１０（ｂ）は、従来の配光状態を示す説明図である。この実施例では、路面から４．５ｍの高さに照明器具を取り付けると共に、照明器具の配置間隔を３０ｍとしている。
【発明の開示】
【発明が解決しようとする課題】
【０００３】
しかし、このような構成の従来の照明器具において、照明器具の配置間隔を３０ｍとした場合、図１０（ｂ）からも明らかなように光の届かない範囲Ｘが存在した。また、光の届かない範囲Ｘを小さくするべく、照明器具の光量を増大すると、消費電力が増大し、光源が発熱することで光束低下する問題があった。
【０００４】
この発明は、上記に鑑み提案されたもので、照明器具に使用する反射板を、幅方向の中央で照明器具本体の長手方向に沿った山状部と、前記山状部の両端に延設された平坦部と、前記平坦部から立ち上がった端縁折曲部とから構成すると共に、端縁折曲部の一部に発光体を設置することにより、道路の長手方向に沿って遠くまで投光し、道路を適切に照射して天空方向への光公害を防止できる照明器具を提供することを目的とするものである。
【課題を解決するための手段】
【０００５】
上記目的を達成する為に、本発明の照明器具は投光用の開口部を有した照明器具本体と、前記照明器具本体の開口部近傍に配置された発光体と、前記発光体からの光を開口部から外部に向かって反射する反射板と、前記照明器具本体の開口部を投光可能に覆う透光性のカバー部材とを備え、前記反射板は、幅方向の中央で照明器具本体の長手方向に沿った山状部と、前記山状部の両端に延設された平坦部と、前記平坦部から立ち上がった端縁折曲部とから成ると共に、前記反射板の端縁折曲部の一部に発光体を設置したことを特徴としている。
【０００６】
また、本発明において、前記反射板は幅方向の両端近傍で前記端縁折曲部の一部に発光体設置用の切欠き部が照明器具本体の長手方向に沿って複数個形成されたことを特徴とする。
【０００７】
また、本発明において、前記照明器具本体の開口部から投光される光は、少なくとも発光体から直接カバー部材を透過して投光される第１の光と、前記反射板で一旦反射した後に、カバー部材を透過して投光される第２の光と、前記カバー部材で一旦反射した後に、反射板で再度反射しカバー部材を透過して投光される第３の光とを含むことを特徴とする。
【０００８】
また、本発明において、前記発光体はＬＥＤであることを特徴とする。
【０００９】
また、本発明において、前記照明器具本体は、前記反射板の裏面に放熱板を配設すると共に、発光体を設置する凹部空間に対応する外周表面にヒダ形状部を形成し、放熱面積を増加して放熱効果を高めたことを特徴とする。
【００１０】
また、本発明において、前記発光体であるＬＥＤは、前記反射板を構成する端縁折曲部の一部に、端縁折曲部表面に対して直角方向に向けて設置され、照明器具本体の薄型化を図ったことを特徴とする。
【００１１】
また、本発明において、前記発光体は、前記反射板の両側端に設置されると共に、それぞれ反射板の中央方向に向けて配設したので、前記投光用の開口部から照射された光が天空方向へ投光されることを阻止したことを特徴とする。
【発明の効果】
【００１２】
この発明は上記した構成からなるので、以下に説明するような効果を奏することができる。
【００１３】
本発明では、投光用の開口部を有した照明器具本体と、前記照明器具本体の開口部近傍に配置された発光体と、前記発光体からの光を開口部から外部に向かって反射する反射板と、前記照明器具本体の開口部を投光可能に覆う透光性のカバー部材とを備え、前記反射板は、幅方向の中央で照明器具本体の長手方向に沿った山状部と、前記山状部の両端に延設された平坦部と、前記平坦部から立ち上がった端縁折曲部とから成ると共に、前記反射板の端縁折曲部の一部に発光体を設置したので、発光体からの光を照明器具本体の長手方向に対して直角（横）方向に配光することができる。したがって、光を必要とする道路の長手方向に沿って投光でき、照明器具の設置間隔を長くできる事で、照明器具の使用台数を減らす事で、全体の消費電力を少なくすると共に、光を必要としない天空方向への光を全く出さずに、光公害を防止できる。
【００１４】
また、本発明において前記反射板は、幅方向の両端近傍で前記端縁折曲部の一部に発光体設置用の切欠き部が照明器具本体の長手方向に沿って複数個形成されたので、発光体からの光を効果的に照明器具本体の長手方向に対して直角（横）方向に投光することができる。
【００１５】
また、本発明において前記照明器具本体の開口部から投光される光は、少なくとも発光体から直接カバー部材を透過して投光される第１の光と、前記反射板で一旦反射した後に、カバー部材を透過して投光される第２の光と、前記カバー部材で一旦反射した後に、反射板で再度反射しカバー部材を透過して投光される第３の光とを含むので、発光体からの光を直接カバー部材を透過して投光したり、反射板で反射させた後にカバー部材を透過し、カバー部材で反射した後、反射板で反射させた後にカバー部材を透過して投光することができる。
【００１６】
また、本発明において前記発光体は、ＬＥＤであるので発光体の寿命及び光束（照度）を良くするために、図２（ａ）のようなヒダ形状としたので、放熱効率を高めることができる。
【００１７】
また、本発明において前記照明器具本体は、前記反射板の裏面に放熱板を配設すると共に、発光体を設置する凹部空間に対応する外周表面にヒダ形状部を形成し、放熱面積を増加して放熱効果を高めたものである。したがって、温度上昇に伴ってＬＥＤからの光量（束）が低下して暗くなるのを防止することができる。
【００１８】
また、本発明において前記発光体であるＬＥＤは、前記反射板を構成する端縁折曲部の一部に、端縁折曲部表面に対して直角方向に向けて設置され、照明器具本体の薄型化を図ったものである。つまり、従来の光源（蛍光ランプ、水銀ランプ等）に対し、ＬＥＤを使うことで器具を薄型に出来る。また、その薄さは、光源部分がＬＥＤ幅方向＋器具本体肉厚分となり、全体では、内部電源の電子部品高さ＋器具本体肉厚分まで薄くすることが可能である。また、従来器具では、ランプ−反射板−電源のたて積み構造であり薄くすることが困難であった。薄型化のメリットは、軽量化、使用材料の低減、梱包材の低減等ができる。
【００１９】
また、本発明において前記発光体は、前記反射板の両側端に設置されると共に、それぞれ反射板の中央方向に向けて配設したので、前記投光用の開口部から照射された光が天空方向へ投光されるのを阻止できる。つまり、天空方向への光照射が阻止でき、光公害を防止することができる。
【発明を実施するための最良の形態】
【００２０】
照明器具に使用する反射板を、幅方向の中央で照明器具本体の長手方向に沿った山状部と、前記山状部の両端に延設された平坦部と、前記平坦部から立ち上がった端縁折曲部とから構成すると共に、端縁折曲部の一部に発光体を設置することにより、道路の長手方向に沿って投光し、道路を適切に照射して天空への光公害を防止できる。
【実施例】
【００２１】
以下、一実施の形態を示す図面に基づいて本発明を詳細に説明する。図１は本発明に係る照明器具を電柱に取り付けた状態を示す説明図、図２は本発明の照明器具を下方から見た斜視図、図３は本発明の照明器具のカバーを開いた状態を示す斜視図である。ここで、照明器具１０は、投光用の開口部１１を有した照明器具本体１２と、前記照明器具本体１２の開口部近傍に配置された発光体１３と、前記発光体１３からの光を開口部１１から外部に向かって反射する反射板１４と、前記照明器具本体１２の開口部１１を投光可能に覆う透光性のカバー部材１５とを備え、前記反射板１４は、幅方向の中央で照明器具本体の長手方向に沿った山状部１６と、前記山状部１６の両端に延設された平坦部１７と、前記平坦部１７から立ち上がった端縁折曲部１８とから成ると共に、前記反射板１４の端縁折曲部１８の一部に発光体１３を設置したものである。
【００２２】
照明器具本体１２は、開閉可能な前面カバー１９を有しており、ロック機構２０によって照明器具本体１２に固定されている。また、照明器具本体１２は、アルミニューム合金等の熱伝導性に優れた材料から構成されている。ロック機構２０は、回動可能なフック部２０ａと照明器具本体側に取り付けられた係止片２０ｂとから構成されており、フック部２０ａを回動することにより係止片２０ｂと係合或いは解除が実行される。また、照明器具本体１２は、反射板１４の裏面に放熱板２３を配設すると共に、発光体１３を設置する凹部空間２２に対応する外周表面にヒダ形状部ａが形成されている。
【００２３】
前面カバー１９には、開口部１１が形成されており、カバー部材１５で覆われている。ここで、カバー部材１５は、開口部１１の周囲に配設された取付金具２１により、シート部材２１ａを介して固定されている。カバー部材１５は、例えば、無色高透明なソーダ系ガラスで気泡等を含まないものやメタクリル樹脂を使用することができる。開口部１１に対向する照明器具本体１２の凹部空間２２には、図４に示すように反射板１４と略同一形状の放熱板２３を介して反射板１４がビス２４で固定されている。
【００２４】
反射板１４は、図５〜７に示すように平面から見ると略長方形をしており、幅方向の中央で照明器具本体１２の長手方向に沿った稜線２５を有する山状部１６と、前記山状部１６の両端に延設され、カバー部材１５と平行に配設される平坦部１７と、前記平坦部１７から角度βで立ち上がった端縁折曲部１８とから構成されている。また、前記山状部１６は平坦部１７から角度αで立ち上がっている。更に、反射板１４の端縁折曲部１８には、発光体１３を設置するための切欠き部２６が照明器具本体（反射板）の長手方向に沿って複数個形成されている。切欠き部２６は、例えば、円形に構成されている。また、長方形や方形であってもよい。
【００２５】
放熱板２３は、反射板１４と略同一形状に折曲されており、反射板１４を背面から支えている。また、放熱板２３の両側端部２３ａは、垂直に折曲されており、照明器具本体１２の凹部空間２２に挿入可能となっている。更に、放熱板２３は、アルミニューム等の熱伝導性に優れた材料から構成されている。発光体１３は、放熱板２３と反射板１４の間に配設されており、端縁折曲部１８の長手方向に沿って複数個形成された切欠き部２６を介して光を投射する。そして、反射板１４と放熱板２３は、ビス２４によって照明器具本体１２に固定されている。
【００２６】
発光体１３は、例えば、ＬＥＤ（Light Emitting Diode）を使用することができ、図８に示すように、開口部１１から出射する光が、少なくとも発光体１３から直接カバー部材１５を透過して投光される第１の光（実線）２７と、前記反射板１４で一旦反射した後に、カバー部材１５を透過して投光される第２の光（破線）２８と、カバー部材１５で一旦反射した後に、反射板１４で再度反射しカバー部材１５を透過して投光される第３の光（一点鎖線）２９とを含むような角度で端縁折曲部１８に設置される。
【００２７】
以上のように構成した照明器具１０の使用手順について説明する。ここで、照明器具１０は、図１に示すように電柱３０に取り付け金具３１で道路側に突き出すように取り付けられる。この状態で、反射板１４の端縁折曲部１８に配設された発光体１３が点灯すると、図８に示すように発光体１３からの光は、直接カバー部材１５を透過して外部へ投光される第１の光（実線）２７と、反射板１４で一旦反射した後に、カバー部材１５を透過して外部へ投光される第２の光（破線）２８と、カバー部材１５で一旦反射した後に、反射板１４で再度反射しカバー部材１５を透過して外部へ投光される第３の光（一点鎖線）２９とを含。
【００２８】
図９、図１０（ａ）から明らかなように、設置された照明器具１０から横方向への光量が増加している。例えば、図１０（ａ）に示す実施例では、高さ４．５ｍで水平方向の間隔を３０ｍに設定した場合であるが、照明器具１０と照明器具１０の間に、光の届かない範囲が存在しない。これに対して、図１０（ｂ）に示す従来例では、同様の条件で設置した場合に、光の届かない範囲Ｘが存在した。
【００２９】
なお、以上の実施例は、発光体１３にＬＥＤを使用する場合について説明した、他の発光体であってもよい。また、本発明は上述の実施例に限定されることなく、特許請求の範囲の記載に基づいて種々の設計変更が可能である。
【図面の簡単な説明】
【００３０】
【図１】図１は、本発明に係る照明器具を電柱に取り付けた状態を示す説明図である。
【図２】図２は、同照明器具を下方から見た斜視図である。
【図３】図３は、同照明器具のカバーを開いた状態を示す斜視図である。
【図４】図４は、同照明器具の一例を示す断面図である。
【図５】図５は、同照明器具に使用される反射板を示す平面図である。
【図６】図６は、同照明器具に使用される反射板を示す側面図である。
【図７】図７は、同反射板を示す斜視図である。
【図８】図８は、同照明器具による配光状態を示す要部拡大説明図である。
【図９】図９は、同照明器具による配光状態を示す説明図である。
【図１０】図１０（ａ）は、同照明器具による配光状態を示す説明図、（ｂ）は、従来の配光状態を示す説明図である。
【符号の説明】
【００３１】
１０      照明器具
１１      開口部
１２      照明器具本体
１３      発光体
１４      反射板
１５      カバー部材
１６      山状部
１７      平坦部
１８      端縁折曲部
１９      前面カバー
２０      ロック機構
２１      取付金具
２２      凹部空間
２３      放熱板
２４      ビス
２５      稜線
２６      切欠き部
２７      第１の光
２８      第２の光
２９      第３の光
３０      電柱
３１      取り付け金具
【図１】
2009026481.tif 000003
【図２】
2009026481.tif 000004
【図３】
2009026481.tif 000005
【図４】
2009026481.tif 000006
【図５】
2009026481.tif 000007
【図６】
2009026481.tif 000008
【図７】
2009026481.tif 000009
【図８】
2009026481.tif 000010
【図９】
2009026481.tif 000011
【図１０】
2009026481.tif 000012